(57)【要約】  高周波の信号を受信する方法であって、受信器の複数のアンテナが信号を受信し、１つのアンテナの事前選択された番組内容を表す信号を受信器へ伝送し、同一の番組内容かつより良好な信号特性を有する信号を受信する少なくとも１つの別のアンテナを選択することもできる形式の方法において、本発明では、該少なくとも１つのアンテナによって受信された信号のデータ内容を検査し、該アンテナによって受信された一方の信号のデータ内容が、該アンテナによって受信された他方の信号のデータ内容に相応する場合、該一方の信号から該他方の信号に切り換える。または、少なくとも２つのアンテナによって受信された信号のデータ内容を検査し、一方のアンテナによって受信された一方の信号のデータ内容が、少なくとも１つの別のアンテナによって受信された別の信号のデータ内容に相応する場合、該一方のアンテナによって受信されている一方の信号から、該少なくとも１つの別のアンテナによって受信されている別の信号に切り換える。
2008527938.tif 000002
【特許請求の範囲】
【請求項１】
高周波の信号を受信する方法であって、
受信器の１つまたは複数のアンテナが該信号を受信し、１つのアンテナの事前選択された番組内容を表す信号を受信器へ伝送し、
場合によっては、同一の番組内容かつより良好な信号特性を有する信号を受信する少なくとも１つの別のアンテナも選択することができる形式の方法において、
該少なくとも１つのアンテナによって受信された信号のデータ内容を検査し、該アンテナによって受信された一方の信号のデータ内容が、該アンテナによって受信された別の信号のデータ内容に相応する場合、該一方の信号から該別の信号に切り換えることを特徴とする方法。
【請求項２】
少なくとも２つのアンテナによって受信された信号のデータ内容を検査し、一方のアンテナによって受信された一方の信号のデータ内容が、少なくとも１つの別のアンテナによって受信された別の信号のデータ内容に相応する場合には、該一方のアンテナによって受信されている信号を、該少なくとも１つの別のアンテナによって受信されている別の信号に切り換える、請求項１記載の方法。
【請求項３】
たとえば垂直方向の帰線間隔（ＶＢＩ，Vertical Blanking Interval）に由来するデータに基づいてデータ内容を検出する、請求項１または２記載の方法。
【請求項４】
発信局のテレテキストサービスの内容に基づいてデータ内容を検出する、請求項１または２記載の方法。
【請求項５】
発信および受信された発信局の名前に基づいてデータ内容を検出する、請求項１または２記載の方法。
【請求項６】
ＥＰＧデータ（Electronic Program Guide Data）に基づいてデータ内容を検出する、請求項１または２記載の方法。
【請求項７】
ＳＩデータ（Service Information Data）に基づいてデータ内容を検出する、請求項１または２記載の方法。
【請求項８】
ＰＳＩデータ（Program Specific Information）に基づいてデータ内容を検出する、請求項１または２記載の方法。
【請求項９】
請求項３から８までのいずれかの１項記載のデータ内容の少なくとも２つの検出を組み合わせて実施することを特徴とする方法。
【請求項１０】
請求項１から９までのいずれか１項記載の方法を実施するために構成され、該方法を実施するのに適していることを特徴とする装置。
【発明の詳細な説明】
【技術分野】
【０００１】
本発明は、独立請求項の上位概念の特徴を有する、１つまたは複数のアンテナを介して高周波信号を受信するための方法および装置に関する。すなわち、受信器の１つまたは複数のアンテナが該信号を受信し、１つのアンテナの事前選択された番組内容を表す信号を受信器へ伝送し、場合によっては、同一の番組内容かつより良好な信号特性を有する信号を受信する少なくとも１つの別のアンテナも選択することができる形式の方法に関する。
【０００２】
高周波信号の移動受信を行うためのダイバーシティ方式およびダイバーシティ装置、とりわけ車両内で信号受信を行うためのダイバーシティ方法およびダイバーシティ装置は公知である。とりわけテレビ番組を含む高周波のアナログ信号をダイバーシティ受信器によって受信する場合には、テレビ番組の受信中に同一の番組内容（同じ発信局）を有する異なる周波数間で自動的に切り換えを行うことができる。このような受信方式によって、異なる発信エリアを車両で通行する間にテレビ番組を一貫して受信および追跡することができる。このことは、発信エリア内部に、テレビ番組を所定の周波数で発信する発信局が存在し、１つの発信エリアの周波数が１つまたは複数の別の発信エリアの発信周波数と異なる場合でも可能である。受信器が発信局を所定の周波数で受信した後に、同一の発信局を異なる発信エリアの異なる周波数でも受信できるこのような方式は公知であり、周波数ダイバーシティと称される。所定の発信局が所定の周波数で発信される発信エリアから車両が離れる場合、受信特性が劣化され、このことによって、１つの発信エリアから別の発信エリアへの移行時に該別の発信エリアの信号特性が改善される。それゆえこのことは、この発信局をもはや従前の周波数では受信せず、より良好に受信できる別の周波数で受信する基準として使用される。このことは、１つの発信エリアから別の発信エリアへの移行時に、同じ番組内容を有する発信局の１つの周波数から別の周波数への切り換え基準は信号特性であることを意味する。
【０００３】
アナログテレビ番組の発信と、発信された番組の相応のアナログ受信の他に、とりわけヨーロッパでは高周波のデジタル信号が発信され、このデジタル信号は、相応に構成された受信局によって受信される。このデジタルの高周波信号もまた、発信エリア内に存在する発信局によって発信されるので、このデジタル高周波信号の受信でも、１つの発信エリアから別の発信エリアへの移行時に、（同一の番組内容を有する）この発信局を維持し、かつ、これまで信号が受信されていた発信局から、これから信号を受信しなければならない別の発信局に切り換えなければならない。１つのデジタル発信局から次のデジタル発信局への移行時には、「信号特性」基準も切換基準として使用される。その他に、たとえばエラーレート（Bit-Error-Rate）等の別の基準も付加することができる。
【０００４】
アナログの高周波信号のみが発信されるかまたは純粋にデジタルの高周波信号のみが発信される発信エリアの他に、発信エリアの交代時には車両の移動の結果として、アナログ発信エリアからデジタル発信エリアに交代するか、またはデジタル発信エリアからアナログ発信エリアに交代する事態も生じることがある。
【０００５】
したがって本発明の課題は、高周波信号を車両内で受信するための次のような方法および装置を提供することである。すなわち、１つの発信エリアから別の発信エリアへの交代時に、その時点で受信されている番組内容を維持し、交代を迅速かつ目立たないように行う方法および装置を提供することである。
【０００６】
この課題は、独立請求項の構成によって解決される。
【０００７】
方法に関しては、少なくとも１つのアンテナによって受信された信号のデータ内容を検査し、一方のデータ信号のデータ内容が他方の信号のデータ内容に相応する場合は、該アンテナによって受信されている一方の信号を、該アンテナによって受信されている別の信号に切り換える。この方法は、信号を受信するために１つのアンテナのみが使用可能である場合（ダイバーシティシステムではない場合）に適用される。
【０００８】
択一的または補足的に、少なくとも２つのアンテナによって受信された信号のデータ内容を検査し、一方のアンテナによって受信された一方の信号のデータ内容が、少なくとも１つの別のアンテナによって受信された別の信号のデータ内容に相応する場合には、一方のアンテナによって受信されている信号を、少なくとも１つの別のアンテナによって受信されている別の信号に切り換える。この方法は、信号を受信するために１つより多くのアンテナが使用可能である場合（たとえば２つ、３つ、４つまたは４つ以上のアンテナが使用可能である場合）（ダイバーシティシステムである場合）に適用される。
【０００９】
受信された信号のデータ内容を、たとえば移動中の車両でテレビ信号を受信する際に使用することの利点は、定置の発信局によって発信される特定の番組がアナログで発信されるかまたはデジタルで発信されるかに依存せずに、このデータ内容が、この定置の発信局によって発信されるこの特定の番組を表すことである。ここで、とりわけ１つの発信エリアから別の発信エリアへの移行時に、その時点までに当初のアンテナによって受信されていた番組が少なくとも１つの別のアンテナによってより良好に受信されると検出された場合、この別のアンテナによって受信されている信号が受信器へ供給され、調製および再生される。ここで重要なのは、同一のデータ内容を有する番組を受信するためのアンテナに切り換えることである。個々のアンテナによって受信される個々の信号の一致するデータ内容を検査することの利点は、このデータ内容が一致するかまたはずれているかを非常に迅速に、たとえば目標値‐瞬時値比較によって検査できることである。（より良好な信号特性で）一致する場合には、別のアンテナに切り換える。一致しない場合には、当初のアンテナを介して行われていたその時点までの発信局の受信を継続する。これは、別のアンテナの番組内容が同じであり、かつ信号特性がより良好になるまで継続する。万全を期するため、「当初のアンテナ」という概念は１つまたは複数のアンテナを含み、車両は少なくとも２つまたは２つ以上のアンテナを有することがあることを述べておく。これらのアンテナは高周波信号を常に受信し、高周波信号の番組内容（データ内容）および信号特性はその後、後置接続された受信器（とりわけダイバーシティプロセッサ）によって検査ないしは比較される。
【００１０】
信号の特性は信号内容であるか、ないしは検出されたビットエラーレートに基づく品質である。
【００１１】
本発明の１つの実施形態では、受信された信号のデータ内容は、帰線消去間隔（ＶＢＩ，Vertical Blanking Interval）に由来するデータに基づいて検出される。帰線消去間隔には複数の使用可能なデータが存在し、たとえばビデオテキスト、データ行およびテスト行が存在する。
【００１２】
本発明の発展形態ではデータ内容は、発信および受信された発信局の名前に基づいて検出される。このことはとりわけ、高周波のデジタル信号が発信された発信局の名前（たとえばＡＲＤ）も含むデジタル発信される番組で特に良好に機能する。このような発信局がその時点までに受信されていて、同一の発信局が発信される発信エリア内に車両が移動する場合、このことが検出され、この一致に基づいて、同じ番組内容を有しより良好に受信される発信局を有するアンテナに切り換えられる。
【００１３】
本発明の発展形態では、データ内容はＥＰＧデータ（Electronic Program Guide-Data）ないしはＳＩデータ（Service Information-Data）ないしはＰＳＩデータ（Program Specific Information）に基づいて検出される。こうすることにより、これらのデータないしはデータ内容に基づいて、一致ないしは偏差を検出することができる。
【００１４】
さらに本発明では、データ内容を検出するために複数の基準を使用することも考えられる。このことにより、１つの発信エリアの１つの発信局から、同一の番組内容を有する別の発信エリアの別の発信局に間違いなく切り換えられるようにする。
【００１５】
装置では、前記方法を実施するために構成され、これを実施するのに適していることを特徴とする装置を保護範囲として請求する。このような装置はたとえば、車両内に配置された複数のアンテナを有する。これらのアンテナはダイバーシティプロセッサに接続されており、このダイバーシティプロセッサは受信器にも接続されている。この受信器は、受信された高周波信号の調製を請け負い、この高周波信号を適切に（たとえば光学的および／または音響的に）表示する。ダイバーシティプロセッサは、相応の信号を受け取った場合に、１つのアンテナから別のアンテナに切り換えるように構成されている。ここで本発明では、この全体的な装置は次のように構成されている。すなわち、ダイバーシティプロセッサ自体または場合によっては受信器または別の装置が、受信された高周波信号のデータ内容を検査して、同じ番組内容であるか否かを検査した場合、該ダイバーシティプロセッサが１つのアンテナから別のアンテナに切り換えるように構成されている。複数かつ少なくとも２つのアンテナにおいて同じ番組内容が存在し、これらの番組内容の信号特性が相違する場合、ダイバーシティプロセッサは、より良好な信号特性を有するアンテナを受信のために導通接続する。
【００１６】
本発明を詳細に説明するために、以下の説明および図を使用する。しかし、本発明はこれらに限定されない。
【００１７】
図面
図１  異なる発信エリアにおける異なる発信局を示す。
【００１８】
図２および３  １つの発信局から、同じ番組内容を有する別の発信局への切り換えを示す。
【００１９】
図４  本方法を実施するための装置を示す。
【００２０】
図１は例として、車両がエリアを通過する際に見られる発信の様子を示す。まず、車両はたとえばアナログエリア１に存在すると仮定する。さらに走行すると車両はデジタルエリア２に到達する。ここで本発明では、番組（たとえばテレビ番組ＺＤＦ。以下ではＺＤＦと称する）はアナログエリア１ではアナログ受信され、番組ＺＤＦはデジタルエリア２への移行時にもさらに受信され、すなわち番組内容は維持されるが、この受信はもはやアナログでは行われず、デジタルで行われることが保証される。車両がさらに走行すると、デジタルエリア２から別の発信局のデジタルエリア３へ入る。ここでも番組ＺＤＦを受信しなければならないこととする。さらに走行すると、車両はアナログエリア４に入り、ここでも番組ＺＤＦを受信しなければならないが、もはやデジタル受信はせずにアナログ受信しなければならない。したがって、全体的に本発明では、異なる定置の発信局５〜８から発信される番組（ここではたとえばＺＤＦ）を、発信局５〜８のうちいずれかが番組をアナログ発信するかまたはデジタル発信するかに依存せずに一貫して受信することができる。このことによって本発明では、車両が１つのエリア（アナログエリアまたはデジタルエリア）から別のエリア（アナログエリアまたはデジタルエリア）に移動する際に切り換えを行うことができる。
【００２１】
１つのエリアから次のエリアに移行する際に同一の番組ないしは同一の番組内容が維持されるのを可能にするためには、とりわけ請求項に記載された基準、すなわち受信された信号のデータ内容を使用する。帰線消去間隔から得られるデータ、発信および受信された発信局の名前、ＥＰＧデータないしはＳＩデータに基づいてデータ内容を検出する他に、本発明では、データ内容を発信局のテレテキストサービスの内容にも基づいて検出する。ここで、アナログエリアからデジタルエリアへの移行が示されている図２および３を参照されたい。ここでは例として、発信局ＺＤＦのテレテキストサービスが示されている。図２には、発信局ＺＤＦのテレテキストサービスの受信がアナログ受信モードで示されている。これは、部分的に比較的見やすくなるように示されている。ここに表示された情報は、発信局から発信された高周波信号によって伝送され、しかも、組み合わされてデータ内容を構成するデータの形態で伝送される。ここで本発明では、図２に示された所定のデータ内容を検査し、図３に示された、別のアンテナによって受信されたデータ内容と比較する。ここで、図２および３のように、選択されたデータ内容（たとえば字体「ＺＤＦテキスト ２００５．０１．１２ 水」）が一致すると検出された場合、アナログ受信からデジタル受信に切り換えることができる。切り換えの基準（すなわちデータ内容）を検出する際には、個々の発信局において可能性のある切り換えの時間において不変である内容が適している。図２および３に示された時間表示（１４：３８：４４）は切り換えには適していない。というのも、このデータ内容は論理的に常に変化するからである。すなわちこのことは、アナログ番組とデジタル番組との間のダイバーシティと、複数のデジタル番組間のダイバーシティにおいて、番組内容を一義的に同定する必要があること（データ内容が同じである必要があること）を意味する。図２および３に示され、これらの図に沿って記載されているようなテレテキスト内容の相関づけは、図１に示されたようなすべての移行時において適用できるという特別な利点を有する。このことは、受信すべき番組がテレテキストともに発信されることを前提とする。このことが当てはまらない場合、有利には、上記のような別のデータに基づいてデータ内容を実施する。
【００２２】
受信シチュエーションに関しては、上記の説明の他に択一的または補足的に、以下のことが適用される。（受信）アンテナに番組が（１つしか）存在せず、次のアンテナに別の番組が存在せず、すべてのアンテナがその時点の番組の受信に使用される。比較のためだけに、アンテナ（経路）は（新たな発信エリア内の）比較番組にチューニングされる。その後、再びすべてのアンテナが切り換えられる。
【００２３】
図４は、本発明による方法を実施するための装置例を示す。参照番号９はアンテナを示す。このアンテナは、受信すべき周波数領域に依存して構成され、車両内の相応の場所に収容されている。このアンテナ９のみが使用される場合、請求項１の特徴部分に記載された方法が有効である。この場合、ダイバーシティシステムは実現されない。１つより多くのアンテナが使用される場合、すなわち図４ではアンテナ９〜１１（または、３つより多くのアンテナ、一般的には「ｎ」個のアンテナ、「ｎ」≧１）が使用される場合には、次のようなダイバーシティシステムである。すなわち、請求項１の特徴部分に記載のように実施されるダイバーシティシステム、ないしは、補足的または択一的に請求項２の特徴部分に記載のように実施されるダイバーシティシステムである。各アンテナ９〜１１には相応の受信器（チューナ）１２〜１４が後置接続されており、これらの受信器の出力信号（チューナ１２のデータのみだけでなく）は、ＭＰＥＧデコーダに供給される。ＭＰＥＧデコーダの出力信号は相応の線路を介して評価ユニット１６へ送信される。この評価ユニット１６は、本方法を実施するために構成された論理回路と、結果メモリと、制御相関付けユニットとを有する。この場合、複数のアンテナ９〜１１ならびに所属の受信器１２〜１４が設けられている場合にはダイバーシティシステムであり、各アンテナ９〜１１を選択するために評価ユニット１６が制御線路１７を介して制御信号を受信ユニットへ送信し、受信ユニットは、最良の受信が実現されるその時点のアンテナの信号経路を評価ユニット１６に導通接続する。
【００２４】
ＭＰＥＧデコーダ１５の出力信号は、この実施形態ではＡＤ変換器へも出力される。このことが必要であり有利である理由は、ＭＰＥＧデコーダ１５の出力信号はこの場合にはＦＢＡＳ信号であり（ＦＢＡＳ信号でなくてもよい）、すなわちアナログであるから、アナログからデジタルに変換しなければならないからである。択一的または付加的に、ＭＰＥＧデコーダ１５から評価ユニット１６まで直接の経路も考えられる。
【００２５】
最後に、評価ユニット１６はさらに少なくとも１つの出力端１９（デジタルおよび／またはデジタル）を有し、これによって、アンテナ９〜１１によって受信された後に調製された信号（音声信号および／または画像信号）を再生することができる。
【００２６】
最後に、受信器１２〜１４から評価ユニット１６までの信号経路中に、さらにアナログ‐デジタル変換器が接続されている。このアナログ‐デジタル変換器は、受信器１２〜１４から出力されたアナログ信号をデジタル信号に変換して、後続の処理のために評価ユニット１６へ供給する。アナログ‐デジタル変換器は受信器１２〜１４と評価ユニット１６との間に別個に設けることができ、また択一的に、受信器１２〜１４および／または評価ユニット１６に組み込むこともできる。
【図面の簡単な説明】
【００２７】
【図１】異なる発信エリアにおける異なる発信局を示す。
【図２】１つの発信局から、同じ番組内容を有する別の発信局への切り換えを示す。
【図３】１つの発信局から、同じ番組内容を有する別の発信局への切り換えを示す。
【図４】本方法を実施するための装置を示す。
【符号の説明】
【００２８】
１．  当初のアナログエリア
２．  当初のデジタルエリア
３．  別のデジタルエリア
４．  別のアナログエリア
５．  発信局
６．  発信局
７．  発信局
８．  発信局
９．  アンテナ
１０．  アンテナ
１１．  アンテナ
１２．  受信器（チューナ）
１３．  受信器（チューナ）
１４．  受信器（チューナ）
１５．  ＭＰＥＧデコーダ
１６．  評価ユニット
１７．  信号線路
１８．  記憶ユニット
１９．  出力端
２０．  アナログ‐デジタル変換器
【図１】
2008527938.tif 000003
【図２】
2008527938.tif 000004
【図３】
2008527938.tif 000005
【図４】
2008527938.tif 000006
【手続補正書】
【提出日】平成18年12月2日(2006.12.2)
【手続補正１】
【補正対象書類名】明細書
【補正対象項目名】０００３
【補正方法】変更
【補正の内容】
【０００３】
アナログテレビ番組の発信と、発信された番組の相応のアナログ受信の他に、とりわけヨーロッパでは高周波のデジタル信号が発信され、このデジタル信号は、相応に構成された受信局によって受信される。このデジタルの高周波信号もまた、発信エリア内に存在する発信局によって発信されるので、このデジタル高周波信号の受信でも、１つの発信エリアから別の発信エリアへの移行時に、（同一の番組内容を有する）この発信局を維持し、かつ、これまで信号が受信されていた発信局から、これから信号を受信しなければならない別の発信局に切り換えなければならない。１つのデジタル発信局から次のデジタル発信局への移行時には、「信号特性」基準も切換基準として使用される。その他に、たとえばエラーレート（Bit-Error-Rate）等の別の基準も付加することができる。
先行文献として、ＥＰ‐Ａ‐１１２６６３２、ＤＥ１９８０３０５８Ｃ１、ＤＥ２８４０５３３Ａ１、ＤＥ２９６１５８９７Ｕ１を挙げる。
【国際調査報告】
2008527938.tif 000007
2008527938.tif 000008
2008527938.tif 000009
2008527938.tif 000010
2008527938.tif 000011
2008527938.tif 000012